(57)【要約】【課題】アンテナを筐体に適正に組み付けることができるアンテナユニットを提供する。【解決手段】アンテナユニットは、パッチアンテナ３０と、ケースとを備える。パッチアンテナ３０は、導電性のアンテナパターン３２、及び、当該アンテナパターン３２のグランドとして機能するアンテナグランドパターン３３を含んで構成され電波を受信する。ケースは、誘電性を有し、パッチアンテナ３０が設けられる。アンテナパターン３２は、ケースの壁部の内壁面１２ａに設けられる。アンテナグランドパターン３３は、ケース１０の壁部の外壁面１２ｂに形成され、アンテナパターン３２に対向して位置する。【選択図】図３
2020072436.tif 000002
【特許請求の範囲】
【請求項１】
導電性のアンテナパターン、及び、前記アンテナパターンのグランドとして機能する第１グランドパターンを含んで構成され電波を送信又は受信するアンテナと、
誘電性を有し前記アンテナが設けられる筐体と、を備え、
前記アンテナパターンは、前記筐体の壁部の一方側の壁面に設けられ、
前記第１グランドパターンは、前記壁部の他方側の壁面に形成され前記アンテナパターンに対向して位置することを特徴とするアンテナユニット。
【請求項２】
前記アンテナパターンは、前記筐体の内側の前記壁面に設けられ前記筐体の内部空間部に収容され、
前記第１グランドパターンは、前記筐体の外側の前記壁面に形成される請求項１に記載のアンテナユニット。
【請求項３】
前記アンテナは、誘電性を有するシート状のフィルムを含んで構成され、
前記アンテナパターンは、前記フィルムの一方側のフィルム面に形成され当該フィルムを介して前記筐体の前記壁面に設けられる請求項１又は２に記載のアンテナユニット。
【請求項４】
導電性の給電パターン、及び、前記給電パターンのグランドとして機能する第２グランドパターンを含んで構成され前記アンテナに電力を伝送するマイクロストリップラインを備え、
前記給電パターンは、前記一方側のフィルム面に形成され、
前記第２グランドパターンは、前記フィルムの他方側のフィルム面に形成され前記給電パターンに対向して位置する請求項３に記載のアンテナユニット。
【請求項５】
前記アンテナパターンは、前記筐体の前記壁面に形成される請求項１又は２に記載のアンテナユニット。
【発明の詳細な説明】
【技術分野】
【０００１】
本発明は、アンテナユニットに関する。
【背景技術】
【０００２】
従来、アンテナユニットとして、例えば、誘電性を有するフィルムと、当該フィルムの一方側に形成されるアンテナパターンと、フィルムの他方側に形成されるグランドパターンとを備えるアンテナがある。なお、特許文献１には、電波を送受信するアンテナパターン（モノポールアンテナ）が形成されたプリント回路基板が記載されている。
【先行技術文献】
【特許文献】
【０００３】
【特許文献１】特開２０１７−６３３６４号公報
【発明の概要】
【発明が解決しようとする課題】
【０００４】
ところで、上述のアンテナは、例えば、筐体に収容された状態で車両等に搭載される場合がある。この場合に、アンテナは、筐体の内部に組み付けられるが、アンテナを筐体に組み付ける点で更なる改善の余地がある。
【０００５】
そこで、本発明は、上記に鑑みてなされたものであって、アンテナを筐体に適正に組み付けることができるアンテナユニットを提供することを目的とする。
【課題を解決するための手段】
【０００６】
上述した課題を解決し、目的を達成するために、本発明に係るアンテナユニットは、導電性のアンテナパターン、及び、前記アンテナパターンのグランドとして機能する第１グランドパターンを含んで構成され電波を送信又は受信するアンテナと、誘電性を有し前記アンテナが設けられる筐体と、を備え、前記アンテナパターンは、前記筐体の壁部の一方側の壁面に設けられ、前記第１グランドパターンは、前記壁部の他方側の壁面に形成され前記アンテナパターンに対向して位置することを特徴とする。
【０００７】
上記アンテナユニットにおいて、前記アンテナパターンは、前記筐体の内側の前記壁面に設けられ前記筐体の内部空間部に収容され、前記第１グランドパターンは、前記筐体の外側の前記壁面に形成されることが好ましい。
【０００８】
上記アンテナユニットにおいて、前記アンテナは、誘電性を有するシート状のフィルムを含んで構成され、前記アンテナパターンは、前記フィルムの一方側のフィルム面に形成され当該フィルムを介して前記筐体の前記壁面に設けられることが好ましい。
【０００９】
上記アンテナユニットにおいて、導電性の給電パターン、及び、前記給電パターンのグランドとして機能する第２グランドパターンを含んで構成され前記アンテナに電力を伝送するマイクロストリップラインを備え、前記給電パターンは、前記一方側のフィルム面に形成され、前記第２グランドパターンは、前記フィルムの他方側のフィルム面に形成され前記給電パターンに対向して位置することが好ましい。
【００１０】
上記アンテナユニットにおいて、前記アンテナパターンは、前記筐体の前記壁面に形成されることが好ましい。
【発明の効果】
【００１１】
本発明に係るアンテナユニットは、アンテナパターンが筐体の壁部の一方側の壁面に設けられ、第１グランドパターンが壁部の他方側の壁面に形成されアンテナパターンに対向して位置するので、筐体の壁部をアンテナの誘電体として用いることができ、この結果、アンテナを筐体に適正に組み付けることができる。
【図面の簡単な説明】
【００１２】
【図１】図１は、第１実施形態に係るアンテナユニットの構成例を示す斜視図である。
【図２】図２は、第１実施形態に係るアンテナユニットの構成例を示す分解斜視図である。
【図３】図３は、図１のＸ１−Ｘ１断面図である。
【図４】図４は、下側ケースの厚みとＶＳＷＲとの関係を示す図である。
【図５】図５は、下側ケースの厚みと右旋円偏波利得との関係を示す図である。
【図６】図６は、第１実施形態に係るアンテナユニットにおいて空気層による利得低下を示す図である。
【図７】図７は、第１実施形態に係るアンテナユニットと比較例に係るアンテナユニットとの利得の比較例を示す図である。
【図８】図８は、第２実施形態に係るアンテナユニットの構成例を示す分解斜視図である。
【図９】図９は、図８のＸ２−Ｘ２断面図である。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１４】
〔第１実施形態〕
図面を参照しながら第１実施形態に係るアンテナユニット１について説明する。図１は、第１実施形態に係るアンテナユニット１の構成例を示す斜視図である。図２は、第１実施形態に係るアンテナユニット１の構成例を示す分解斜視図である。図３は、図１のＸ１−Ｘ１断面図である。
【００１５】
アンテナユニット１は、電波を受信するものである。アンテナユニット１は、例えば、図１〜図３に示すように、筐体としてのケース１０と、マイクロストリップライン２０と、アンテナとしてのパッチアンテナ３０とを備える。
【００１６】
ここで、パッチアンテナ３０の後述のアンテナパターン３２とフィルム３１とを積層する方向を積層方向と称する。また、積層方向において、アンテナパターン３２側を積層方向の上側と称し、フィルム３１側を積層方向の下側と称する。積層方向の上側は、上側ケース１１側であり、積層方向の下側は、下側ケース１２側であるともいえる。
【００１７】
ケース１０は、パッチアンテナ３０及びマイクロストリップライン２０が組み付けられるものである。ケース１０は、１つ又は複数のパッチアンテナ３０及びマイクロストリップライン２０が組み付けられる。ケース１０は、誘電性を有し、例えば、ＰＣ−ＡＢＳ（ポリカーボネート−アクリロニトリル、ブタジエン及びスチレン混合）樹脂により形成されている。ケース１０は、箱状に形成され、上側ケース１１と、下側ケース１２とを含んで構成される。上側ケース１１は、直方体状に形成され、天井板１１ａと、４つの側壁板１１ｂ〜１１ｅとを含んで構成されている。天井板１１ａは、矩形の平板状に形成され、積層方向の上側に位置している。各側壁板１１ｂ〜１１ｅは、矩形の平板状に形成され、天井板１１ａの周方向に沿って配置されている。各側壁板１１ｂ〜１１ｅは、天井板１１ａの各辺から積層方向に沿って下側に延在し、天井板１１ａの周りを囲っている。上側ケース１１は、天井板１１ａ及び各側壁板１１ｂ〜１１ｅにより内部空間部Ｑを形成している。上側ケース１１は、積層方向の下側（天井板１１ａとは反対側）に開口部を有している。
【００１８】
下側ケース１２は、上側ケース１１の開口部を閉塞するものである。下側ケース１２は、矩形の平板状に形成され、上側ケース１１の開口部に係合される。下側ケース１２は、例えば、誘電率（ε）を３程度とし、積層方向の厚みを１ｍｍ程度〜２ｍｍ程度の範囲にすることが好ましい。典型的には、下側ケース１２は、積層方向の厚みを１ｍｍ程度としている。
【００１９】
ここで、図４は、下側ケース１２の厚みとＶＳＷＲ（電圧定在波比；Ｖｏｌｔａｇｅ  Ｓｔａｎｄｉｎｇ  Ｗａｖｅ  Ｒａｔｉｏ）との関係を示す図である。図５は、下側ケース１２の厚みと右旋円偏波利得との関係を示す図である。図４及び図５では、下側ケース１２の厚みを１．１ｍｍから２．１ｍｍまで０．２ｍｍずつ厚みを増やした場合についてのシミュレーション結果を示している。アンテナユニット１は、例えば、図４に示すように、５．８ＧＨｚの周波数において、下側ケース１２の厚みが１．３ｍｍの場合に最もＶＳＷＲが小さく、下側ケース１２の厚みが２．１ｍｍの場合に最もＶＳＷＲが大きくなる。アンテナユニット１は、下側ケース１２の厚みが１．５ｍｍ〜２．１ｍｍの範囲において、当該下側ケース１２の厚みが厚くなるに従ってＶＳＷＲが大きくなる傾向にある。アンテナユニット１は、下側ケース１２の厚みが２．１ｍｍの場合にＶＳＷＲが２．０となるため、下側ケース１２の厚みの上限値を２ｍｍ程度としている。
【００２０】
また、アンテナユニット１は、例えば、図５に示すように、５．８ＧＨｚの周波数において、下側ケース１２の厚みが１．１ｍｍの場合に最も右旋円偏波利得が大きく、下側ケース１２の厚みが２．１ｍｍの場合に最も右旋円偏波利得が小さくなる。アンテナユニット１は、下側ケース１２の厚みが１．１ｍｍ〜２．１ｍｍの範囲において、下側ケース１２の厚みが厚くなるに従って右旋円偏波利得が小さくなる傾向にある。
【００２１】
ケース１０は、下側ケース１２が上側ケース１１の開口部に係合された状態で、マイクロストリップライン２０及びパッチアンテナ３０の一部を内部空間部Ｑに収容する。ケース１０は、例えば、車両等に搭載され、上側ケース１１を車両の天井側に向けて設置される。
【００２２】
マイクロストリップライン２０は、電力を伝送するものである。マイクロストリップライン２０は、後述するパッチアンテナ３０のフィルム３１に形成されている。マイクロストリップライン２０は、下側ケース１２の壁部の内壁面１２ａ側に設けられ、内部空間部Ｑに位置している。マイクロストリップライン２０は、給電パターン２１と、給電グランドパターン２２とを含んで構成される。給電パターン２１は、フィルム３１に形成されている。給電パターン２１は、例えば、銀ペース等の導体をフィルム３１に印刷（例えばスクリーン印刷）することにより形成される。給電パターン２１は、フィルム３１の積層方向の上側、つまりフィルム３１の表面３１ａに形成されている。言い換えれば、給電パターン２１は、フィルム３１のアンテナパターン３２側に形成されている。給電パターン２１は、線状に形成され、一端がアンテナパターン３２に接続され、他端が信号を受信する受信部（図示省略）に接続されている。
【００２３】
給電グランドパターン２２は、導電性のパターンである。給電グランドパターン２２は、図３に示すように、フィルム３１に形成されている。給電グランドパターン２２は、例えば、銀ペース等の導体をフィルム３１に印刷（例えばスクリーン印刷）することにより形成される。給電グランドパターン２２は、フィルム３１の給電パターン２１とは反対側に形成されている。つまり、給電グランドパターン２２は、フィルム３１の積層方向の下側（フィルム３１の裏面３１ｂ）に形成されている。給電グランドパターン２２は、積層方向に沿って給電パターン２１に対向して位置し、給電パターン２１の基準電位であるグランドとして機能する。
【００２４】
マイクロストリップライン２０は、給電グランドパターン２２を下側ケース１２の外壁面１２ｂに形成せずにフィルム３１の裏面３１ｂに形成することで、給電パターン２１の線幅を所望の幅長に維持することができる。ここで、マイクロストリップライン２０は、給電パターン２１の線幅、給電パターン２１の厚み、誘電体の厚み、及び、誘電率により特性インピーダンスが定められる。マイクロストリップライン２０は、特性インピーダンスを例えば５０Ωとする場合、誘電体が厚くなると給電パターン２１の厚みを変更することは難しいので給電パターン２１の線幅を細くする必要がある。マイクロストリップライン２０は、給電パターン２１の線幅を細くする場合には製造上の困難性が伴うので、フィルム３１の裏面３１ｂに形成することで給電グランドパターン２２の線幅を所望の幅長に維持している。マイクロストリップライン２０は、給電パターン２１から誘電体（フィルム３１）を介して給電グランドパターン２２に向かう電界と給電パターン２１の周囲を囲む磁界とによって電磁波（電力）を伝送する。マイクロストリップライン２０は、例えば、パッチアンテナ３０で受信した電波（信号）を受信部に伝送する。
【００２５】
パッチアンテナ３０は、電波を受信する不平衡アンテナである。パッチアンテナ３０は、例えば、ＥＴＣ（Ｅｌｅｃｔｒｉｃ  Ｔｏｌｌ  Ｃｏｌｌｅｃｔｉｏｎ  Ｓｙｓｔｅｍ）の電波等の円偏波を受信する。パッチアンテナ３０は、フィルム３１と、アンテナパターン３２と、アンテナグランドパターン３３とを含んで構成される。フィルム３１は、誘電性を有し、シート状に形成されている。フィルム３１は、例えば、誘電率（ε）を３程度とし、積層方向の厚みを２５０μｍ程度としている。
【００２６】
アンテナパターン３２は、フィルム３１に形成されている。アンテナパターン３２は、例えば、銀ペース等の導体をフィルム３１に印刷（例えばスクリーン印刷）することにより形成される。アンテナパターン３２は、フィルム３１の積層方向の上側、つまりフィルム３１の表面３１ａに形成されている。言い換えれば、アンテナパターン３２は、フィルム３１の給電パターン２１側に形成されている。アンテナパターン３２は、受信する電波に応じて寸法及び形状が定められ、例えば略矩形状に形成されている。アンテナパターン３２は、フィルム３１を介して下側ケース１２の内壁面１２ａに設けられ、内部空間部Ｑに位置している。アンテナパターン３２は、給電パターン２１の一端に接続されている。
【００２７】
アンテナグランドパターン３３は、導電性のパターンである。アンテナグランドパターン３３は、図３に示すように、下側ケース１２の壁部の外壁面１２ｂに直接形成されている。つまり、アンテナグランドパターン３３は、給電グランドパターン２２のようにフィルム３１の裏面３１ｂに形成されていない。アンテナグランドパターン３３は、例えば、銅箔テープ等の導体を下側ケース１２の外壁面１２ｂに貼り付けることにより形成されている。アンテナグランドパターン３３は、アンテナパターン３２の大きさよりも大きく形成され、積層方向においてアンテナパターン３２と対向して位置している。アンテナグランドパターン３３は、給電グランドパターン２２とは導通せずに電気的に独立している。アンテナグランドパターン３３は、アンテナパターン３２の基準電位であるグランドとして機能する。なお、フィルム３１の裏面３１ｂにおいて、アンテナグランドパターン３３と対向する箇所には、給電グランドパターン２２が形成されていない（図３参照）。
【００２８】
パッチアンテナ３０は、アンテナパターン３２を表面３１ａに形成したフィルム３１が下側ケース１２の内壁面１２ａに設けられ、ケース１０に組み付けられている。パッチアンテナ３０は、例えば、両面テープによりフィルム３１の裏面３１ｂを下側ケース１２の内壁面１２ａに貼り付けることにより固定されている。ここで、パッチアンテナ３０は、フィルム３１の裏面３１ｂと下側ケース１２の内壁面１２ａとの間を密に固定する必要がある。図６は、第１実施形態に係るアンテナユニット１において空気層による利得低下を示す図である。図６では、縦軸が利得（ｄＢ）を表し、横軸が周波数（ＧＨｚ）を表す。図６では、フィルム３１の裏面３１ｂと下側ケース１２の内壁面１２ａとの間隔が、０．１ｍｍ間隔で０．０ｍｍ〜０．９ｍｍまで開いた場合について、それぞれの利得の変化を図示している。フィルム３１の裏面３１ｂと下側ケース１２の内壁面１２ａとの間隔が大きくなるにつれて利得が低下する傾向にある。アンテナユニット１は、例えば、５．８ＧＨｚの周波数において、フィルム３１の裏面３１ｂと下側ケース１２の内壁面１２ａとの間隔が０ｍｍの場合は、当該間隔が０．１ｍｍの場合よりも、利得が３ｄＢ程度向上している。このように、アンテナユニット１は、フィルム３１の裏面３１ｂと下側ケース１２の内壁面１２ａとの間を密に固定し空気層をなくすことが重要である。
【００２９】
パッチアンテナ３０は、フィルム３１の裏面３１ｂと下側ケース１２の内壁面１２ａとの間に空気層をなくした状態で、積層方向の上側から下側に向けて、アンテナパターン３２、フィルム３１、下側ケース１２、アンテナグランドパターン３３の順番に積層されている。パッチアンテナ３０は、アンテナパターン３２とアンテナグランドパターン３３との間に、誘電体としてフィルム３１及び下側ケース１２を介在させている。これにより、パッチアンテナ３０は、誘電体としてフィルム３１のみを介在させる場合と比較して誘電体の厚みを厚くすることができるので、アンテナ利得の低下を抑制することができる。
【００３０】
図７は、第１実施形態に係るアンテナユニット１と比較例に係るアンテナユニット（図示省略）との利得の比較例を示す図である。図７では、縦軸が利得（ｄＢｉ）を表し、横軸が周波数（ＧＨｚ）を表している。比較例に係るアンテナユニットは、フィルム３１の裏面３１ｂにアンテナグランドパターン３３を形成している。このため、比較例に係るアンテナユニットは、第１実施形態に係るアンテナユニット１よりも誘電体の厚みが薄くなっている。比較例に係るアンテナユニットは、例えば、図７に示すように、５．８ＧＨｚの周波数において、利得が−３．８ｄＢｉ程度である。これに対して、第１実施形態に係るアンテナユニット１は、５．８ＧＨｚの周波数において、利得が−０．８ｄＢｉ程度である。このように、第１実施形態に係るアンテナユニット１は、誘電体の厚みを下側ケース１２の分だけ厚くすることにより、利得を３ｄＢｉ程度向上することができる。
【００３１】
以上のように、実施形態に係るアンテナユニット１は、パッチアンテナ３０と、ケース１０とを備える。パッチアンテナ３０は、導電性のアンテナパターン３２、及び、当該アンテナパターン３２のグランドとして機能するアンテナグランドパターン３３を含んで構成され電波を受信する。ケース１０は、誘電性を有し、パッチアンテナ３０が設けられる。アンテナパターン３２は、ケース１０の壁部の内壁面１２ａに設けられる。アンテナグランドパターン３３は、ケース１０の壁部の外壁面１２ｂに形成され、アンテナパターン３２に対向して位置する。
【００３２】
この構成により、アンテナユニット１は、ケース１０の下側ケース１２の壁部の厚みにより適正なアンテナ利得を確保することができる。アンテナユニット１は、下側ケース１２の壁部をパッチアンテナ３０の誘電体として用いることで、基板を用いる必要がないので部品点数の増加を抑制できる。アンテナユニット１は、下側ケース１２の内壁面１２ａによりアンテナパターン３２の形状を保持することができる。この結果、アンテナユニット１は、パッチアンテナ３０をケース１０に適正に組み付けることができる。アンテナユニット１は、ケース１０の製造時にパッチアンテナ３０も合わせて製造することができ、製造工程の増加を抑制できる。また、アンテナユニット１は、製造コストの増加を抑制できる。
【００３３】
上記アンテナユニット１において、アンテナパターン３２は、ケース１０の内壁面１２ａに設けられ、ケース１０の内部空間部Ｑに収容される。アンテナグランドパターン３３は、ケース１０の外壁面１２ｂに形成される。この構成により、アンテナユニット１は、アンテナパターン３２がケース１０の内部空間部Ｑに収容されるので、アンテナパターン３２を保護することができる。
【００３４】
上記アンテナユニット１において、パッチアンテナ３０は、誘電性を有するシート状のフィルム３１を含んで構成される。アンテナパターン３２は、フィルム３１の表面３１ａに形成され、当該フィルム３１を介してケース１０の内壁面１２ａに設けられる。この構成により、アンテナユニット１は、フィルム３１をケース１０の内壁面１２ａに固定することによりパッチアンテナ３０を形成することができるので、パッチアンテナ３０のアンテナ利得を確保した上でパッチアンテナ３０の設置性を向上できる。
【００３５】
上記アンテナユニット１は、パッチアンテナ３０に電力を伝送するマイクロストリップライン２０を備える。マイクロストリップライン２０は、導電性の給電パターン２１、及び、給電パターン２１のグランドとして機能する給電グランドパターン２２を含んで構成される。給電パターン２１は、フィルム３１の表面３１ａに形成される。給電グランドパターン２２は、フィルム３１の裏面３１ｂに形成され、給電パターン２１に対向して位置する。この構成により、アンテナユニット１は、パッチアンテナ３０のアンテナ利得を確保した上でマイクロストリップライン２０を適正に形成することができる。
【００３６】
〔第２実施形態〕
次に、第２実施形態に係るアンテナユニット１Ａについて説明する。なお、第２実施形態では、第１実施形態と同等の構成要素には同じ符号を付し、その詳細な説明を省略する。第２実施形態に係るアンテナユニット１Ａは、アンテナパターン３２をフィルム３１に形成せずに下側ケース１２の内壁面１２ａに直接形成する点で第１実施形態のアンテナユニット１と異なる。
【００３７】
アンテナユニット１Ａは、図８及び図９に示すように、上側ケース１１と、下側ケース１２と、マイクロストリップライン２０Ａと、パッチアンテナ３０Ａとを備える。マイクロストリップライン２０Ａは、給電パターン２１と、グランドパターンＧとを含んで構成される。
【００３８】
給電パターン２１は、下側ケース１２の内壁面１２ａに直接形成されている。給電パターン２１は、例えば、銀ペース等の導体を下側ケース１２の内壁面１２ａに印刷（例えばスクリーン印刷）することにより形成される。給電パターン２１は、線状に形成され、一端がアンテナパターン３２に接続され、他端が信号を受信する受信部（図示省略）に接続されている。
【００３９】
グランドパターンＧは、導電性のパターンである。グランドパターンＧは、下側ケース１２の外壁面１２ｂに直接形成されている。グランドパターンＧは、例えば、銅箔テープ等の導体を下側ケース１２の外壁面１２ｂに貼り付けることにより形成されている。グランドパターンＧは、積層方向に沿って給電パターン２１に対向して位置し、給電パターン２１の基準電位であるグランドとして機能する。
【００４０】
マイクロストリップライン２０Ａは、グランドパターンＧを下側ケース１２の外壁面１２ｂに形成するので、誘電体（下側ケース１２）が第１実施形態のマイクロストリップライン２０の誘電体（フィルム３１）よりも厚くなり、給電パターン２１の線幅を細くする必要がある。この場合、マイクロストリップライン２０Ａは、下側ケース１２の厚みを調整することで、給電パターン２１の線幅を所望の線幅にすることができる。
【００４１】
パッチアンテナ３０Ａは、アンテナパターン３２と、グランドパターンＧとを含んで構成される。アンテナパターン３２は、下側ケース１２の内壁面１２ａに直接形成されている。アンテナパターン３２は、例えば、銀ペース等の導体を下側ケース１２の内壁面１２ａに印刷（例えばスクリーン印刷）することにより形成される。アンテナパターン３２は、内部空間部Ｑに位置し、給電パターン２１の一端に接続されている。
【００４２】
グランドパターンＧは、アンテナパターン３２の大きさよりも大きく形成され、積層方向においてアンテナパターン３２と対向して位置している。グランドパターンＧは、アンテナパターン３２のグランドとしても機能する。つまり、グランドパターンＧは、アンテナパターン３２及び給電パターン２１の共通のグランドである。
【００４３】
以上のように、第２実施形態に係るアンテナユニット１Ａは、アンテナパターン３２が、下側ケース１２の内壁面１２ａに形成される。この構成により、アンテナユニット１Ａは、下側ケース１２の壁部の厚みにより適正なアンテナ利得を確保することができる。アンテナユニット１Ａは、下側ケース１２の壁部をパッチアンテナ３０Ａの誘電体として用いることで、基板を用いる必要がないので部品点数の増加を抑制できる。アンテナユニット１Ａは、フィルム３１を用いないので部品点数の増加をさらに抑制できる。アンテナユニット１Ａは、下側ケース１２の内壁面１２ａによりアンテナパターン３２の形状を保持することができる。この結果、アンテナユニット１Ａは、パッチアンテナ３０Ａをケース１０に適正に組み付けることができる。アンテナユニット１Ａは、ケース１０の製造時にパッチアンテナ３０Ａも合わせて製造することができ、製造工程の増加を抑制できる。また、アンテナユニット１Ａは、製造コストの増加を抑制できる。
【００４４】
〔変形例〕
次に、第１及び第２実施形態の変形例について説明する。パッチアンテナ３０、３０Ａは、ＥＴＣの電波を受信する例について説明したが、これに限定されず、ＧＰＳ（Ｇｌｏｂａｌ  Ｐｏｓｉｔｉｏｎｉｎｇ  Ｓｙｓｔｅｍ）や衛星放送等の電波を受信するアンテナに適用してもよい。
【００４５】
パッチアンテナ３０、３０Ａは、電波を受信する例について説明したが、電波を送信するようにしてもよい。
【００４６】
アンテナユニット１、１Ａは、マイクロストリップライン２０、２０Ａにより電力を伝送する例について説明したが、これに限定されず、同軸ケーブルを用いて電力を伝送してもよい。
【００４７】
パッチアンテナ３０は、両面テープによりフィルム３１の裏面３１ｂを下側ケース１２の内壁面１２ａに貼り付ける例について説明したが、これに限定されず、接着剤等によりフィルム３１の裏面３１ｂを下側ケース１２の内壁面１２ａに貼り付けてもよい。
【００４８】
アンテナグランドパターン３３及びグランドパターンＧは、銅箔テープ等の導体を下側ケース１２の外壁面１２ｂに貼り付けることにより形成される例について説明したが、これに限定されず、銀ペース等の導体を印刷することにより形成してもよい。
【００４９】
給電パターン２１、給電グランドパターン２２、及び、アンテナパターン３２は、スクリーン印刷により形成される例について説明したが、これに限定されず、グラビア印刷やフレキソ印刷等により形成してもよいし、その他の方法により形成してもよい。
【００５０】
パッチアンテナ３０、３０Ａ及びマイクロストリップライン２０、２０Ａは、ケース１０に複数設けてもよい。
【００５１】
フィルム３１及び下側ケース１２は、誘電率（ε）を３程度としたが、これに限定されず、対象の電波の周波数に応じて誘電率（ε）が適宜設定される。
【００５２】
フィルム３１は、積層方向の厚みを２５０μｍ程度としたが、これに限定されず、適宜設定される。
【符号の説明】
【００５３】
１  アンテナユニット
１０  ケース（筐体）
１２ａ  内壁面（内側の壁面）
１２ｂ  外壁面（外側の壁面）
２０、２０Ａ  マイクロストリップライン
２１  給電パターン
２２  給電グランドパターン（第２グランドパターン）
２３  アンテナグランドパターン（第１グランドパターン）
３０、３０Ａ  パッチアンテナ（アンテナ）
３１  フィルム
３１ａ  表面（一方側のフィルム面）
３１ｂ  裏面（他方側のフィルム面）
３２  アンテナパターン
Ｇ  グランドパターン（第１グランドパターン、第２グランドパターン）
Ｑ  内部空間部
【図１】
2020072436.tif 000003
【図２】
2020072436.tif 000004
【図３】
2020072436.tif 000005
【図４】
2020072436.tif 000006
【図５】
2020072436.tif 000007
【図６】
2020072436.tif 000008
【図７】
2020072436.tif 000009
【図８】
2020072436.tif 000010
【図９】
2020072436.tif 000011